(57)【要約】【課題】  サンバイザーにおいて、取りつけ、取り外しの容易性、収納容易性、簡便性、嵩低さ、収納性、簡単な製法の観点から欠点の無いサンバイザーを提供すること．【課題の解決手段】  サンバイザーにおいて、遮蔽すべき広がり方向に実質的に曲面に広がり開く弾性スプリング部と、それと接続された広がりを持つシート状物とからなることを特徴とするサンバイザー【選択図】  なし【特許請求の範囲】
【請求項１】
サンバイザーにおいて、遮蔽すべき広がり方向に実質的に曲面に広がり開く弾性スプリング部と、それと接続された広がりを持つシート状物とからなることを特徴とするサンバイザー
【請求項２】
サンバイザーにおいて、嵩低く曲げることができると共に、遮蔽すべき広がりに実質的に広がりに開く弾性スプリングと、それと接続された広がりを持つシート状物とからなることを特徴とするサンバイザー
【請求項３】
サンバイザーにおいて、嵩低く曲げることができると共に、遮蔽すべき広がりを実質的に広がりに開く弾性スプリングと、それと接続された広がりを持つシート状物と、更に収納部が付属していることを特徴とするサンバイザー
【請求項４】
請求項１、２または、３において、シート状物が、少なくとも超極細繊維部を含むシートであることを特徴とするサンバイザー
【請求項５】
請求項１、２または、３において、シート状物が、少なくともフイルム部を含むシートであることを特徴とするサンバイザー
【請求項６】
請求項４、または、５において、シート状物が、少なくとも光反射性物質がコーティングまたは付与されたシートであることを特徴とするサンバイザー
【請求項７】
請求項１、２または、３において、弾性体が、少なくともピアノ線または形状記憶合金であることを特徴とするサンバイザー
【請求項８】
スプリングすなわち弾性体部を環状または変形させた円弧部を設け、他方小さく折りたたむことのできるシート状物に収納部を取りつけ、次いでそれらを合体させるか、スプリングを環状または変形させた円弧部としておき、他方小さく折りたたむことのできるシート状物を作り、次いで合体させ，しかる後に収納部を取りつけることを特徴とするサンバイザーの製造方法。
【発明の詳細な説明】
【技術分野】
【０００１】本発明は、自動車などに用いられるサンバイザーすなわち日よけに関するものである。
【背景技術】
【０００２】従来から、自動車用のサンバイザーすなわち日よけ、つまり日陰を作るものとして、カーテン、蛇腹のような折りたたみ板、吸盤付き遮蔽スクリーン，遮光フイルムが，知られている。例えば、野外で、自動車を駐車して置くと、室内や、ダッシュボード、ハンドルは、夏焼けるように熱くなっている。また座席のシートが熱く、シート材料を劣化させる。また、クーラーの効きを遅らせ、相当分地球環境を悪化させる結果となっている。これらは、概念は特許庁電子図書館に、実物はカー用品販売会社の陳列台上に容易に見かけられるものである。【０００３】しかしながら、これら公知の遮蔽物は、運転を直ぐに始める時に，以下に述べるような重大な欠陥があった。カーテンは、左右に開いても運転に重大な障害になり、他方、最もよく見かける蛇腹のような折りたたみ板状物は据え付け，取り外しが困難，時間を要し、更にその後の置き場所に困ることが多かった。収納に時間を要した。座席を占領したり、後ろのトランクまで運ぶなど面倒さと時間を要した。吸盤付き遮蔽スクリーンは、自然に吸盤が外れたり、逆に吸盤の取り外しに時間を要し、吸盤吸いつき跡が汚い、更にその後の置き場所に困ることが多かった。遮光フイルムは、貼り付けてしまうと、今度は運転に支障ができ、フロント部は、法律的にも禁止されている。一々貼り付けたり剥がしたりするのは大変面倒なことである。これらの手段は、簡便さ、不使用時の置き場所、所要時間、収納スペース，設備費用などの観点で重大な欠点があった。
【発明の開示】
【発明が解決しようとする課題】
【０００４】本発明は、これらの諸問題を解決し、製作容易で日常簡単に用いられるサンバイザーすなわち日よけであって、必要時簡単に取りつけられ、不使用時簡単に取り外しできる器具を提供することを目的とする。
【課題を解決するための手段】
【０００５】本発明者らは、サンバイザーの構成と、その簡便な作成法について、鋭意検討し，遂に本発明に到達した。
すなわち、本発明は、次の構成からなる。
（１）サンバイザーにおいて、遮蔽すべき広がり方向に実質的に曲面に広がり開く弾性スプリング部（フレーム部）と、それと接続された広がりを持つシート状物とからなることを特徴とするサンバイザー
（２）サンバイザーにおいて、嵩低く曲げることができると共に、遮蔽すべき広がりに実質的に広がりに開く弾性スプリングと、それと接続された広がりを持つシート状物とからなることを特徴とするサンバイザー【０００６】（３）サンバイザーにおいて、嵩低く曲げることができると共に、遮蔽すべき広がりを実質的に広がり開く弾性スプリングと、それと接続された広がりを持つシート状物と、更に収納部が付属していることを特徴とするサンバイザー【０００７】（４）（１）（２）（３）において、シート状物が、少なくとも超極細繊維部を含むシートであることを特徴とするサンバイザー
（５）（１）（２）（３）において、シート状物が、少なくともフイルム部を含むシートであることを特徴とするサンバイザー
（６）（４）（５）において、シート状物が、少なくとも光反射性物質がコーティングまたは付与されたシートであることを特徴とするサンバイザー
（７）（１）（２）（３）において、弾性体が、少なくともピアノ線または形状記憶合金であることを特徴とするサンバイザー【０００８】（８）スプリングすなわち弾性体部を環状または変形させた円弧部を設け、他方小さく折りたたむことのできるシート状物に収納部を取りつけ、次いでそれらを合体させるか、スプリングを環状または変形させた円弧部としておき、他方小さく折りたたむことのできるシート状物を作り、次いで合体させ，しかる後に収納部を取りつけることを特徴とするサンバイザーの製造方法。
【発明の効果】
【０００９】本発明により、
（１）スプリング部をシート状物と小さく丸めて袋部等の収納部に入れることが可能になり、収納性に優れている。
（２）収納部から出した弾性体，すなわちスプリングは、取り出すと同じに，特にフロントガラス部全面近くバネの力で広がり，ガラスの差さえ部にまで達して自動的に支えられ、日光の遮蔽可能になり、簡便性に優れている。
（３）収納部が、このサンバイザーと一体にしてある場合は、直ぐに入れられ、バネの力で勝手に開くことが無く、コンパクト性に優れている。
（５）収納部が、このサンバイザーと一体にしてあるので、収納部を、紛失することが無く、紛失防止性に優れている。【００１０】（６）超極細繊維が、使われた場合は、嵩張らず，コンパクトにたためるので、収納性に優れている。
（７）弾性体が拡大し、自動車のフロントガラス面に、沿うように開く時は、一層高い光遮蔽効果が得られる。
（８）蛇腹式のサンバイザーに比べると、蛇腹式が、山形にガラス面に、近づいたり、離れたり、しているので、空気の対流が、起こり易いが、本発明品は、ぴったりと、ガラス面に沿わせて反射させることができるので、それだけ室内が、加熱され難い高価がある。
【発明を実施するための最良の形態】
【００１１】本発明では、スプリングは、弾性体として、安価にして有名なピアノ線、高価ではあるが形状記憶合金として、また同時に弾性の特に良さで有名なニッケルチタン合金が、また弾性に優れた高分子化合物が多くありそれぞれ好ましく使用できる。また、ガス入りゴムチューブでもよい。本目的を理解すれば、一々ここで、辞典やハンドブック、特許から抜粋して全てを書き写して記載しなくても容易に選択できることは申すまでも無い。これらは、焼入れが出きるものは、窓の形状に合わせて焼き入れし（好ましい立体的広がり）、接着剤、紐、ワイヤ、または溶接で、変形の輪・環状（必ずしも丸とは限らない）とすることが出きる。【００１２】ここで、好ましい形体として環状とか輪と表現したが、二本のヤイヤーを両端に固定し、運転席の窓の左右の、天上部とダッシュボードの端間で、シートを引っ張るように固定すれば、目的を果たすので、その方法でもよい。シート部が、環状部の一部を代表しているに過ぎないので、本発明の別の形態として、請求範囲に含まれる。以下、輪として説明するが、思想は近い。また、フロントのガラスが、近時局面のも多いので、この輪をその曲面に合わせることが、特に好ましい。この輪は、先ず８の字にして、中央部で曲げて小さな輪を作り、その輪を更に８の字にまげて、輪を作れば、順次簡単に小さくなり、収納袋（または箱や筒）に、収めることができる。このように小さくなれば、喩えシート状部がついていても小さく折りたためる。順次小さな輪を作りながら、輪を重ねる方法でも折りたためる方法もある。【００１３】シート状物としては、反射が強く、薄く嵩張らないのが好ましい。極細繊維織物，極細繊維編物、超極細繊維織物、超極細繊維編物、フラッシュ紡糸した不織布（例えばデュポン社商品名、「タイベック」、封筒、フロッピーケース、ハウスラッピングに使われている）のように、ミクロみかん網状の微細網目状ではあるが超極細繊維性不織布が、小さく折りたためて嵩張らず、白く光を良く反射するので好ましい。極細繊維、超極細繊維とそれに類する製法は、繊維関連の書物に詳しく書かれている。本目的を理解すれば、一々ここで、辞典やハンドブック、特許から抜粋して全てを書き写して記載しなくても容易に選択できることは申すまでも無い。【００１４】超極細繊維は、光を乱反射し易いので、好ましい。少なくとも一部の使用でも良い。すなわち他の繊維との混用しても良い。全てのファブリックも良いし、光の反射を考えアルミや銀などメッキ繊維織編物（織物と編物の総称のこと）、コーティング、ラミネート，反射粒子の塗布・含浸も良い。ここでは白く反射するので酸化チタン含有繊維が好ましい。また、光反射フイルムでも差し支えない。これらを総称してシート状物としている。本発明の大きな特徴は、収納部とのペアー（対）にある。たとえセパレートしていても、対として、セットされる。非接続でも良いが、接続一体であっても、紐で、繋がっていても良い。【００１５】前記の弾性体は、一発で大きく広がるので、その防止手段は、極めて重要である。ポケット相当部（収納部、素材としてはファブリック、革、プラスチック、金属）が、大事である。袋（布性が便利）が、箱，筒、ホックやチャックで止める巻き止め式でも良いし、カバー止めでもよいし、巾着止め（紐を引っ張ると、首締めのように口が綴じる式）でも良い。シートと弾性体との接続は、シートで弾性体を包んで、ミシン掛けしてもよいし、紐で部分的に吊り下げてもよいし、接着剤で貼り付けても良い。交換できるように、フック止めでも良い。図１は、本発明に掛かるサンバイザーの概念図で、弾性体＝スプリング部＝フレーム部１、光反射シート状部２、収納部３、糊代相当部４、収納部とサンバイザーを繋ぐ紐．６で、図２は、立体的曲げを意味する局部（図１のＡ−Ａ’切断部を上から見た図）５である。【００１６】このように、弾性体フレームは、立体的である方が、フィット性に富むので、好ましい。もちろん、立体的でなくともかなりの目的を果たせるし、曲げてからの焼き入れなどが無しで済まされるので安価に作れる。しかも、弾性体で作られているので、ガラス面が如何なる曲面をもっていようと、本発明のサンバイザーは曲面に沿うことが出きるという有利な点がある。また、弾性体は、一つの環状とは限らない。左右２つに分けても良いし、対角線に相当するものを入れても良い。また、ミラーの部分を避けた形状のもので、合っても良い。環状部は、細かな対応に応じ、如何なる形状に変形させても良い。同様に弾性体の断面形状も適宜選ぶ得る。シート状物についても支えテープを貼り付けたり、縫いつけても良いし、一部穴をあけても良いことは申すまでも無い。【００１７】次に，実施例に基づいて、本発明の様態を詳細に説明するが、これらによって，本発明が限定解釈されるものではない。
【実施例１】普通自動車のフロントガラス枠に合わせ（窓枠に合わせる平面的な曲げだけではなく、立体的曲げであることに注意），ピアノ線原料線を輪状に、且つガラス曲面に曲げ、環状にした。この時、末端の接続を考え、少し重ね、長い目にした。これを火に入れ，赤くなったところで、水に、投入した焼き入れした。このものは、強い弾性を持っていた。繋ぎ目を細い針金で、巻いて止め瞬間接着剤で固定した。先行テストとして、確認のため、小さく８の字式で、輪に何度もしながら、小さな袋に入るまで、リング状に出きることを確認し、同時に自動車のフロントガラス部に嵌ることを確認した。【００１８】ついで、真っ白炉の超極細繊維織布（約２ミクロンの直径の酸化チタン入りポリエステル繊維性平織り高圧水流処理品）を準備し、糊代部を考慮しながら、窓の大きさに合わせて切断した。耳部を巻きつけて、ピアノ線に固定した。同時に２５×３０の袋を紐を介して縫いつけた。広がった弾性ピアノ線付きの布を小さく折り曲げ、フロントガラスのところ拡張させた。見事にフロントガラス部は、白い布で、覆われ、固定された（注；※の時、布は１００％フレームに相当する弾性体の立体性に沿って広がる訳ではなく、布は、直線に近い線に沿う部分が生じる）。夏場にも拘わらず、ハンドル、ダッシュボード部は、焼けるような熱さにはには、ならなかった。取り外し、８の字の要領で、袋に収納できるまで繰り返し、収納して、袋の紐を引いて閉じた。【００１９】小さく嵩低くなったので、自動車のダッシュボードの下にある収納部に容易に仕舞うことができた。取りつけ取り外し操作の簡便性、所要時間、嵩低さ、収納性、製作の容易さ、遮蔽効果など総合的な点で優れていた。
【実施例２】
【００２０】実施例１において、超極細繊維の織物の代わりに、フラッシュ紡糸製の不織布を用いた。表面に、メタリック塗装用のスプレー塗料を用いて、吹きつけた。表面がアルミのように光った。その結果、取りつけ取り外し操作の簡便性、所要時間、嵩低さ、収納性、製作の容易さ、遮蔽効果など総合的な点で優れていた。
【産業上の利用可能性】
【００２１】本発明は、広く自動車のサンバイザーとして使える。自動車の種類に依らない。軽自動車、普通自動車、大型自動車に適する。車種に応じて、大小様様な大きさも、曲面も、作れる。【００２２】他方、後部窓からの光に対しても同様に対処できる。
【図面の簡単な説明】
【００２３】
【図１】本発明の構成を示す概念図
【図２】本発明の立体性を示す図（図１のＡ−Ａ’切断面）
【符号の説明】
【００２４】１．弾性体＝スプリング部＝フレーム部
２．光反射シート状部
３．収納部
４．糊代相当部
５．立体的曲げを意味する局部（図１のＡ−Ａ’切断部を上から見た図）
６．収納部とサンバイザーを繋ぐ紐．
【図１】
2005225467.tif 000002
【図２】
2005225467.tif 000003